(57)【要約】【課題】従来の使い捨て容器の内、化粧品やシャンプー等の市販品のミニチュア容器の場合、蓋体を設けているため内容物の充填や金型にコストがかかり、一方、フィルム状シートをシールして形成した袋状の使い捨て容器の場合は、押圧により充填物を押し出すために、剥離裂開部の開口部を設ける手段や容器を立てて保存できないという構造上の制約があった。【解決手段】本発明は、２つ折りにしたフィルムを外形を用途に合わせた形状で、底部が楕円形状に成形された立ち型形状の使い捨て容器であって、取り出し口に取り出し線を設けて開口し、さらに充填物を押しだすことによってのみ充填物が外に押し出される構造である新規な使い捨て容器である。【選択図】  図１
2004182329.tif 000002
【特許請求の範囲】
【請求項１】
使い捨てタイプの簡易型容器において、容器外形が用途に合わせた形状で、且つ底部が楕円形状に成形された容器であり、さらに個体ごとに分離する剥離線と、容器内容物とを取り出すための取り出し線とが設けることによって蓋体を不用とすることを特徴とする使い捨て容器。
【請求項２】
前記使い捨て容器の取り出し口は、取り出し線を切った際に開口せずに、容器本体を押した際に内容物が押し出されるように接着していることを特徴とする請求項１記載の使い捨て容器。
【請求項３】
使い捨てタイプの簡易型容器の製造方法において、１枚のフィルムを２折りにしたものを連続前進させながらセルを該フィルム中に溶接する第一工程と、得られた溶接体を加熱させながら前記セルを伸縮可能にする第二工程と、次いで得られたセルを所定形状に成形する第三工程と、成形された所定形状内に内容物を充填する第四工程と、充填された内容物の入り口を加熱により封入する第五工程と、得られた使い捨て容器を個体ごとに剥離する剥離線、および取り出し線を設けたユニットごとに分離する第六工程とからなることを特徴とする使い捨て容器の製造方法。
【発明の詳細な説明】
【０００１】
【発明の属する技術分野】
本発明は、キャップの存在なしに内容物を取り出すことが可能な使い捨て容器に関し、さらに詳しくは、容器自体が立ったまま使用でき、また横にした場合に入り口が密着するため勝手に内容物が外部に漏れることない、新規な使い捨て容器を提供するものである。
【０００２】
【従来技術】
従来の使い捨て容器は、醤油入れ容器のように意図する形状に設計された金型設計で製造され、キャップを別途取り付けるタイプのものや、化粧品容器のように表面が容器形状して裏面がアルミ箔のような素材で熱溶着された容器は公知である。
【０００３】
これらの容器は、充填量自体が１０〜５ｍｌと少なく、また化粧品やシャンプーの用に正規な容器のミニチュア体であるため、金型設計や製造コストが高くつくという欠点を有していた。
【０００４】
また立つタイプの使い捨て容器は、キャップ（蓋体）を取り付けるものがほとんどであり、内容物を充填する手段として例えば醤油を充填する場合には、醤油を入れた真空装置内で容器に入れ、容器を洗浄した後にキャップを人手で取り付けざるを得ないため、コストが高くなるという欠点を解消できなかった。
【０００５】
また金型で成形した容器は、できあがった段階、あるいは内容物を充填した段階で外ラベルを人力で貼り付けしなければならないために、コストがかかる要因となっていた。
【０００６】
このような問題を解決するものとして、特開平６−１５６５３４号「使い捨て容器」は、合成樹脂フィルムやアルミニウム箔等を積層し又は積層しないフィルム状シートをシールして形成すると共に、前記シール部の一部を容器の実容積部分の押圧により剥離裂開させて内容物の排出口が形成されるようにした袋状の使い捨て容器において、押圧により剥離裂開させる部の手前に該部の内容物の流れを抑制するシール部を設けたことを特徴とする使い捨て容器」を開示し、安価なフィルム状シートをシールして形成した袋状の容器を示している。
【０００７】
【発明が解決しようとする課題】
上記のように従来の使い捨て容器を製造する場合には、立つタイプの容器は金型製造をする事により、キャップを必要とするために人手によりキャップの取り付け、あるいはラベルの貼り付け作業を必要としていた。
【０００８】
また上記特開平６−１５６５３４号の使い捨て容器は、インスタント食品の包装袋に封入する調味料の容器として用いる他に、洗剤や化粧品等の液状体や粘性体の容器に好適であるとされているが、その外観は袋形状であり直ぐに用途は何であるかの区別がつかないものであった。
【０００９】
さらに立つ容器であっても、完成品の外部にラベルを貼るために人手を介さないで貼り付け、あるいは印刷する手段が求められていたが、金型製造ではこれらを行うことは不可能であった。
【００１０】
【課題を解決するための手段】
本発明者はかかる課題を解決するために鋭意研究したところ、１枚のフィルムを２つ折りにして溶着し、加熱してセル部を伸縮可能に加熱し、次いで成形部で所用形状に成形すると立つ形状の容器を安価に製造できることを見いだし、本発明の使い捨て容器とその製造方法を提供することが出来た。
【００１１】
すなわち本発明の第一は、使い捨てタイプの簡易型容器において、容器外形が用途に合わせた形状で、且つ底部が楕円形状に成形された容器であり、さらに個体ごとに分離する剥離線と、容器内容物とを取り出すための取り出し線とが設けることによって蓋体を不用とすることを特徴とする使い捨て容器である。
【００１２】
本発明の第二は、前記使い捨て容器の取り出し口は、取り出し線を切った際に開口せずに、容器本体を押した際に内容物が押し出されるように接着していることを特徴とする請求項１記載の使い捨て容器である。
【００１３】
本発明の第三は、使い捨てタイプの簡易型容器の製造方法において、１枚のフィルムを２折りにしたものを連続前進させながらセルを該フィルム中に溶接する第一工程と、得られた溶接体を加熱させながら前記セルを伸縮可能にする第二工程と、次いで得られたセルを所定形状に成形する第三工程と、成形された所定形状内に内容物を充填する第四工程と、充填された内容物の入り口を加熱により封入する第五工程と、得られた使い捨て容器を個体ごとに剥離する剥離線、および取り出し線を設けたユニットごとに分離する第六工程とからなることを特徴とする使い捨て容器の製造方法である。
【００１４】
【発明の実施の形態】
図１は、本発明容器にかかる正面図である。容器素材として硬・軟質ポリエチレン、ポリエチレンテレフタレート、ポリプロピレン、ポリスチレン、アクリロニトリル・スチレン、ポリ塩化ビニール等のフィルムを２つ折りにして所定幅に予め準備する。
【００１５】
この場合、使用するフィルム状には所定幅で商品ラベルや効能や効果、あるいは販売会社名等が容器の表裏に印刷できるが、この印刷は、その印刷箇所がセル状に位置するように制御できるものである。
【００１６】
本発明の使い捨て容器を製造する方法は、先ず１枚のフィルムを２折りにしたものを製造機にセットして連続前進させながらセルを該フィルム中に溶接する（第一工程）が、この工程の前にフィルム外面に印刷物を所定間隔、セル形成の間隔に合わせて自動制御可能にしている。
【００１７】
次いで得られた溶接体を加熱させながら前記セルの表面を伸縮可能にする（第二工程）が、これによりセル自体がいろいろな形状に製造可能になる。
【００１８】
次いで得られたセルに加圧エアーの注入ノズルからエアーを吹き付けると、成形キャビティ内の成形型によって所定形状に成形される（第三工程）。この場合、
上部の開口口は、後工程の充填作業がやりやすいように口径約５ｍｍくらいに開けてある。
【００１９】
第三工程で成形された所定形状を、順次充填部に移動させて容器内に内容物を充填し（第四工程）、次いで充填された内容物の入り口を加熱により封入（第五工程）する。
【００２０】
この場合、容器本体の上部入り口部は、本体から接続する部分は本体の横幅より少し小さな円筒状の液留め部を有し、さらに液留め部の上部は熱接着させて容器を横にした場合には、液自体の重みで外部に流れ出ない構造となっており、人手で容器を押すことによって内部の液体が流れるようになっている。
【００２１】
第五工程で入り口を封入した容器は、次に使い捨て容器を個体ごとに剥離する剥離線、および取り出し線を設けたユニットごとに分離される（第六工程）が、このユニット毎に分けられて製品として販売される。
【００２２】
【発明の効果】
本発明の製造法によって得られた使い捨て容器は、市販品形状のミニ容器として製造できるために一見して市販品がイメージできるため、購入者に取って判別しやすい効果を有するものである。
【００２３】
また容器には、予め印刷できるために、販売会社の名称やコピー文、イメージ等を簡易に印刷できるため、従来品のように内容物を充填した後にラベル等を貼り付けることがなくなるために、最終コストが安くなるという効果を有するものである。
【００２４】
また本発明にかかる構造の容器は、取り出し線を破った場合に横状に置いても容器内部の液体自体が外に漏れ出すことがないため、例えば醤油やクリーム等のようにこぼれると衣服を汚染するということが防止できる効果を有する。
【００２５】
また容器形状として、底部が略小判形状となっているため、その場に立てておくことができるために、搬送時のスペースを取らず、また使用時にも少しのスペースがあればよいものである。
【図面の簡単な説明】
【図１】本発明容器の正面図である。
【図２】図１の側面図である。
【図３】他の形状の容器を示す正面図である。
【図４】図３の側面図である。
【符号の説明】
１・・・容器素材
２・・・容器
３・・・取り出し線
４・・・剥離線
５・・・溶着部
６・・・排出口
【図１】
2004182329.tif 000003
【図２】
2004182329.tif 000004
【図３】
2004182329.tif 000005
【図４】
2004182329.tif 000006